(57)【要約】【課題】撮像装置のレスポンスの低下を防止することを目的とする。【解決手段】撮像手段と、撮像手段から得られた画像データを動画として記録する記録手段とを有し、記録手段は、無音動画を記録する第１の動画記録モードの場合、前記動画と無音データとを対応付けて記録し、前記無音動画を記録する第２の動画記録モードの場合、音声データを記録することなく前記動画を記録することを特徴とする。【選択図】図２
2016063242.tif 000002
【特許請求の範囲】
【請求項１】
撮像手段と、
前記撮像手段から得られた画像データを動画として記録する記録手段とを有し、
前記記録手段は、無音動画を記録する第１の動画記録モードの場合、前記動画と無音データとを対応付けて記録し、前記無音動画を記録する第２の動画記録モードの場合、音声データを記録することなく前記動画を記録することを特徴とする撮像装置。
【請求項２】
外部音声を集音する集音手段を更に有し、
前記集音手段は、前記記録手段が前記無音動画を記録するモードの場合、前記外部音声を集音する処理を行わないことを特徴とする請求項１に記載の撮像装置。
【請求項３】
前記記録手段は、前記動画と共に外部音声を記録する第３の動画記録モードの場合、前記撮像手段の撮影タイミングにおいて前記集音手段により得られた外部音声と、前記動画とを対応付けて記録することを特徴とする請求項２に記載の撮像装置。
【請求項４】
複数の動画データを結合する画像処理手段を更に有し、
前記画像処理手段は、前記第１の動画記録モードで記録された動画と、前記第３の動画記録モードで記録された動画とを結合することを特徴とする請求項３に記載の撮像装置。
【請求項５】
撮像装置が実行する情報処理方法であって、
撮像ステップと、
前記撮像ステップから得られた画像データを動画として記録する記録ステップとを含み、
前記記録ステップでは、無音動画を記録する第１の動画記録モードの場合、前記動画と無音データとを対応付けて記録し、前記無音動画を記録する第２の動画記録モードの場合、音声データを記録することなく前記動画を記録することを特徴とする情報処理方法。
【請求項６】
コンピュータに、
撮像ステップと、
前記撮像ステップから得られた画像データを動画として記録する記録ステップとを実行させ、
前記記録ステップでは、無音動画を記録する第１の動画記録モードの場合、前記動画と無音データとを対応付けて記録し、前記無音動画を記録する第２の動画記録モードの場合、音声データを記録することなく前記動画を記録することを特徴とするプログラム。
【発明の詳細な説明】
【技術分野】
【０００１】
本発明は、撮像装置、情報処理方法及びプログラムに関する。
【背景技術】
【０００２】
近年、デジタルカメラにおいて、静止画撮影だけでなく、動画を撮影する機会が増えつつある。動画の撮影機会が増えるにつれ、デジタルカメラの編集機能や、編集装置を用いて、撮影された動画をユーザの趣向に沿って編集したいというニーズが高まっている。
例えば、映像データの撮影は、映像装置で行い、音声データは、音声記録装置で採取し、これらを編集装置でタイムラインに沿って繋ぎ合わせるタイムライン編集等がある。この場合、映像データと音声データが別装置で記録されているため、撮像装置は、音声データを記録可能な装置であっても、音声データを記録する必要はなく、映像データのみが記録できればよい。
【０００３】
このような使用方法を実現するため、撮像装置では、動画撮影を行う際に音声データを同時に録音するか否かを設定する録音設定メニューを備えている装置もある。図５は、ＭＯＶやＭＰ４ファイルフォーマットで記録される動画データの概略図である。ＭＯＶやＭＰ４のフォーマットでは、すべてのデータがボックスと呼ばれる単位で格納され、大きくｍｏｏｖボックスとｍｄａｔボックスの２つから構成されている。ｍｏｏｖボックスと呼ばれる領域には、動画データに含まれるメタデータが記録され、後述するｍｄａｔボックスに含まれるデータに関するヘッダ情報が記録されている。ｍｄａｔボックスには、動画データに含まれる映像データ、音声データ等のデータ本体が記録される。これにより、映像データ、音声データ等の複数のトラックをまとめて管理することができる。図５（ａ）は、映像トラック、音声トラック、テキストトラック等の複数のトラックを含む動画データを示す図である。それぞれのトラックのｍｏｏｖ内にヘッダ情報が格納され、データはｍｄａｔに配置されることを示している。図５（ｂ）は、映像トラックのみを含む動画データを示す図である。
【０００４】
一方でユーザがわざわざ編集作業を行わず、ユーザが楽しめるように、または、効率的に鑑賞できるようにデジタルカメラで撮影した際に自動で簡易的に動画データを編集することも望まれている。このような自動編集機能を備えるデジタルカメラは、編集対象となる動画データが映像データのみを含む動画データ同士、映像データと音声データとを共に含む動画データ同士、というように同じ種類のデータに対し、結合処理を行うことができる。
【０００５】
また、特許文献１には、同一の記録媒体にオーディオチャンネル数の異なるビデオデータを記憶する際に、記録するチャンネル数は固定とし、対応しないオーディオのチャンネルには無音データを含むオーディオデータを付加する技術が開示されている。
【先行技術文献】
【特許文献】
【０００６】
【特許文献１】特開２００４−３１９００３号公報
【発明の概要】
【発明が解決しようとする課題】
【０００７】
しかし、映像データしか含まない動画データと映像データと音声データを含む動画データとを結合しようとした場合、音声データの有無により音声データのずれが生じないようにする必要がある。例えば、無音データのような影響のない音声データを適宜付加したり、音声データをマルチチャネル化したりして、対象の映像のタイミングでしか再生させないようにする等、特殊な処理を行う必要がある。このため、処理が煩雑になってしまう。
【０００８】
図６は、動画データの結合処理の説明図である。図６（ａ）に示すように、映像データと音声データとを含む動画データ同士を結合する場合には、動画データに映像トラックと音声トラックとがそれぞれ追記され、ヘッダ情報が更新される。これにより、映像データと音声データの再生タイミングがずれることなく、結合することができる。一方で、図６（ｂ）に示すように、映像データと音声データを持つ動画データと映像データのみの動画データを結合するとする。この場合に、音声トラックがそのまま追記されると、映像データ２を再生している際に音声データ３が再生されるような、映像データと音声データの同期がとれていない動画データが作成されてしまう。
【０００９】
これを回避する１つの対策としては、映像データ２を再生している間、無音データを再生させる方法がある。これにより、映像データ３と音声データ３の同期をとることができる。この場合には、映像データ２の再生時間分の無音データを改めて生成し、追記する処理が必要となる。これにより、編集処理に時間がかかり、デジタルカメラのレスポンスが低下する等の影響がある。
【００１０】
本発明はこのような問題点に鑑みなされたもので、撮像装置のレスポンスの低下を防止することを目的とする。
【課題を解決するための手段】
【００１１】
そこで、本発明の撮像装置は、撮像手段と、前記撮像手段から得られた画像データを動画として記録する記録手段とを有し、前記記録手段は、無音動画を記録する第１の動画記録モードの場合、前記動画と無音データとを対応付けて記録し、前記無音動画を記録する第２の動画記録モードの場合、音声データを記録することなく前記動画を記録することを特徴とする。
【発明の効果】
【００１２】
本発明によれば、撮像装置のレスポンスの低下を防止することができる。
【図面の簡単な説明】
【００１３】
【図１】デジタルカメラを示す図である。
【図２】第１の撮影処理を示すフローチャートである。
【図３】撮影後処理を示すフローチャートである。
【図４】第２の撮影処理を示すフローチャートである。
【図５】従来の動画データを概略図である。
【図６】従来の動画データの結合処理の説明図である。
【発明を実施するための形態】
【００１４】
以下、本発明の実施形態について図面に基づいて説明する。
【００１５】
図１は、撮像装置の一例としてのデジタルカメラ１００を示す図である。１０は、デジタルカメラ１００の撮影レンズ１１を含む撮像部を覆う事により、撮像部の汚れや破損を防止するバリアである保護手段である。１１は撮影レンズ、１２は絞り機能を備えるシャッター、１３は光学像を電気信号に変換するＣＣＤやＣＭＯＳ素子等で構成される撮像素子、１５は撮像素子１３のアナログ信号出力をディジタル信号に変換するＡ／Ｄ変換器である。１４は撮像素子１３、Ａ／Ｄ変換器１５、Ｄ／Ａ変換器２１にクロック信号や制御信号を供給するタイミング発生回路であり、メモリ制御回路２２及びシステム制御回路５０により制御される。２０は画像処理回路であり、Ａ／Ｄ変換器１５からのデータ或いはメモリ制御回路２２からのデータに対して所定の画素補間処理や色変換処理を行う。
【００１６】
また、画像処理回路２０は、撮像した画像データを用いて所定の演算処理を行う。得られた演算結果に基づいてシステム制御回路５０が露光制御４０、測距制御４１に対して制御を行い、ＡＦ（オートフォーカス）処理、ＡＥ（自動露出）処理、ＥＦ（フラッシュプリ発光）処理を行う。画像処理回路２０は、撮像した画像データを用いて所定の演算処理を行い、得られた演算結果に基づいてＡＷＢ（オートホワイトバランス）処理も行っている。さらに、画像処理回路２０は、メモリ２５に格納された画像を読み込んでＪＰＥＧ方式やＭＰＥＧ−４  ＡＶＣ／Ｈ．２６４方式での圧縮処理或いは伸長処理を行い、処理を終えたデータをメモリ２５に書き込む。
【００１７】
２２は、メモリ制御回路であり、Ａ／Ｄ変換器１５、タイミング発生回路１４、画像処理回路２０、画像表示メモリ２４、Ｄ／Ａ変換器２１、メモリ２５を制御する。Ａ／Ｄ変換器１５のデータは画像処理回路２０及びメモリ制御回路２２を介して、又は直接、メモリ制御回路２２を介して、画像表示メモリ２４又はメモリ２５に書き込まれる。２４は画像表示メモリ、２１はＤ／Ａ変換器、２３はＴＦＴ  ＬＣＤ等から成る表示部であり、画像表示メモリ２４に書き込まれた表示用の画像データはＤ／Ａ変換器２１を介して表示部２３に表示される。表示部２３を用いて撮像した画像データを逐次表示すれば、ライブ映像を表示する電子ファインダ機能を実現することが可能である。
【００１８】
２５は、撮影した静止画像や動画像を格納するためのメモリであり、所定枚数の静止画像や所定時間の動画像を格納するのに十分な記憶量を備えている。また、メモリ２５はシステム制御回路５０の作業領域としても使用することが可能である。４０は、絞り機能を備えるシャッター１２を制御する露光制御手段である。４１は撮影レンズ１１のフォーカシングを制御する測距制御手段、４２は、撮影レンズ１１のズーミングを制御するズーム制御手段、４３は、バリアである保護手段１０の動作を制御するバリア制御手段である。７１は、被写体等の外部音声を取り込む集音手段としてのマイク、７２は、デジタルカメラ１００の操作音やシャッター音、動画再生時の音声を出力するスピーカーである。７３は、マイク７１、スピーカー７２の制御や入出力される音声データの録音レベルやボリューム、ノイズキャンセル処理等を施す音声制御部である。
【００１９】
５０は、本デジタルカメラ全体を制御するシステム制御回路５０である。５１は、電気的に消去・記録可能な不揮発性メモリであり、例えばＥＥＰＲＯＭ等が用いられる。プログラムだけでなく、地図情報等も記録されている。なお、後述するデジタルカメラ１００の機能や処理は、ＣＰＵ等を含むシステム制御回路５０が不揮発性メモリ５１等に格納されているプログラムを読み出し、このプログラムを実行することにより実現されるものである。
【００２０】
６０、６１及び６２は、システム制御回路５０の各種の動作指示を入力するための操作手段である。６０、６１及び６２は、電源スイッチ、モード切り替えスイッチ、メニューボタン、十字キー、さらに、タッチパネル、視線検知によるポインティング、音声認識装置等の単数或いは複数の組み合わせで構成される。６０は、シャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２１】
６１は、シャッタースイッチＳＷ２で、不図示のシャッターボタンの操作完了でＯＮとなり、露光処理、現像処理、記録処理という一連の処理の動作開始を指示する。ここで、露光処理は、撮像素子１３から読み出した信号をＡ／Ｄ変換器１５、メモリ制御回路２２を介してメモリ２５に画像データを書き込む処理である。現像処理は、画像処理回路２０やメモリ制御回路２２での演算を用いた処理である。記録処理は、メモリ２５から画像データを読み出し、画像処理回路２０により圧縮を行い、メモリ２５に格納した後にカードコントローラ９０を介して、外部記録媒体９１に画像データを書き込む処理である。
【００２２】
６２は、各種ボタンやタッチパネル等からなる操作部である。６２は、例えば、電源ボタン、メニューボタン、撮影モード／再生モード／その他特殊撮影モードの切替えを行うモード切替スイッチ、十字キー、セットボタン、マクロボタン、である。６２はまた、マルチ画面再生改ページボタン、フラッシュ設定ボタン、単写／連写／セルフタイマー切り替えボタン、メニュー移動＋（プラス）ボタン、メニュー移動−（マイナス）ボタンである。６２はまた、再生画像移動＋（プラス）ボタン、再生画像−（マイナス）ボタン、撮影画質選択ボタン、露出補正ボタン、日付／時間設定ボタン等である。
【００２３】
７０は、動画撮影の開始、終了を指示するための操作部材である動画撮影ボタンである。８１は、電源制御手段である。８０は、アルカリ電池やリチウム電池等の一次電池やＮｉＣｄ電池やＮｉＭＨ電池、Ｌｉ電池等の二次電池、ＡＣアダプター等からなる電源である。９０は、メモリカード等の外部記録媒体とデータの送受信を行うカードコントローラである。９１は、メモリカード等の外部記録媒体である。
【００２４】
図２は、デジタルカメラ１００による、情報処理の一例としての、第１の撮影処理を示すフローチャートである。第１の撮影処理は、デジタルカメラ１００に、撮影モードとして、静止画・動画撮影同時記録モードが設定された場合に実行される処理である。ユーザにより、操作部６２に含まれるモード切り替えスイッチが切り替えられることにより、撮影モードが静止画・動画撮影同時記録モードに設定される。静止画・動画同時撮影モードとは、一回のレリーズで静止画と、そのレリーズ以前の動画とレリーズ後の動画を同時に記録する撮影モードである。静止画・動画撮影同時記録モードでは、静止画撮影をすると共にそれまでに撮影していた動画をそれ以前に同じモードで撮影された動画に追記記録するという機能がある。ユーザは、このモードで撮影を繰り返し行うことで、例えばあるイベントの期間に撮影した静止画とそれぞれの静止画を撮影していた際の状況を一連の動画として容易に振り返ることができるいわゆるダイジェスト版の動画を得ることができる。
【００２５】
デジタルカメラ１００において、静止画・動画撮影同時記録モードが選択されると、ステップＳ２００において、システム制御回路５０は、デジタルカメラ１００の録音設定を確認する。デジタルカメラ１００は、操作部６２に含まれるメニューボタンを使用して、デジタルカメラ１００の設定を切り替えることが可能である。その設定項目に動画記録時に外部音声の録音を行うか否かを設定する録音設定メニューがある。システム制御回路５０は、録音設定メニューにおいて、録音を行う「録音あり」に設定されている場合は（ステップＳ２００でＹｅｓ）、処理をステップＳ２０１へ進める。ステップＳ２０１において、システム制御回路５０は、音声制御部７３に対して外部音声を録音する設定を行う。システム制御回路５０は、録音を行わない「録音なし」に設定されている場合は（ステップＳ２００でＮｏ）、処理をステップＳ２０２へ進める。ステップＳ２０２において、システム制御回路５０は、音声制御部７３に対して、外部音声を無効とし、音声データとしてミュート（無音データ）を入力するよう設定を行う。
【００２６】
ステップＳ２０３において、システム制御回路５０は、露光制御４０によって制御された適正露出となった撮像素子１３を制御し、撮像素子１３の出力を基に表示用動画像を生成する。次に、ステップＳ２０４において、システム制御回路５０は、ステップＳ２０３と同様に撮像素子１３を制御し、撮像素子１３の出力を基に動画記録用動画像を生成する。さらに、ステップＳ２０４において、システム制御回路５０は、「録音あり」に設定されている場合には、スピーカー７２を制御して外部音声を集音し、撮影タイミングに同期して、音声データを生成する。次に、ステップＳ２０５において、システム制御回路５０は、ステップＳ２０３で作成した表示用画像を表示部２３に表示する。
【００２７】
ステップＳ２０６において、システム制御回路５０は、動画記録用画像を画像処理回路２０に含まれる映像圧縮処理を用いて、映像データの圧縮処理を開始し、圧縮されたデータをメモリ２５に格納する。また、システム制御回路５０は、映像データの圧縮とともに、含まれる音声圧縮処理を用いて、マイク７１で入力された音声データの圧縮処理も開始し、圧縮されたデータをメモリ２５に格納する。録音しない設定の場合は、システム制御回路５０は、ミュートデータを圧縮し、メモリ２５に格納する。このように、システム制御回路５０は、録音設定に関わらず、映像データと音声データとを対応付けて１つの動画ファイルに記録する。
【００２８】
ステップＳ２０７において、システム制御回路５０は、静止画・動画同時記録モードから他のモードへのモード変更が行われたか否かを確認する。システム制御回路５０は、操作部６２に含まれるモード切り替えスイッチによる他の撮影モードの変更や再生モードへの移行、電源スイッチによる電源ＯＦＦ等があった場合に、モード変更があったと判断する。システム制御回路５０は、モード変更が行われた場合は（ステップＳ２０７でＹｅｓ）、処理をステップＳ２０８へ進める。システム制御回路５０は、モード変更が行われていない場合は（ステップＳ２０７でＮｏ）、処理をステップＳ２０９へ進める。ステップＳ２０８において、システム制御回路５０は、映像・音声圧縮処理を終了し、メモリ２５に格納していた映像データ及び音声データを破棄して、第１の撮影処理を終了する。
【００２９】
一方、ステップＳ２０９では、システム制御回路５０は、操作部６２に含まれるメニューボタンが押され、設定メニューを開くよう指示されたか確認する。システム制御回路５０は、メニューボタンが押され設定変更の指示を受け付けた場合には（ステップＳ２０９でＹｅｓ）、処理をステップＳ２１０へ進める。システム制御回路５０は、メニューボタンが押されなかった場合には（ステップＳ２０９でＮｏ）、処理をステップＳ２１５へ進める。ステップＳ２１０において、システム制御回路５０は、映像・音声圧縮処理を停止し、メモリ２５に格納されている映像データ及び音声データを破棄する。
【００３０】
次に、ステップＳ２１１において、システム制御回路５０は、メニュー変更において録音設定のへ変更を指示されたか確認する。システム制御回路５０は、録音設定の変更指示を受け付けた場合には（ステップＳ２１１でＹｅｓ）、処理をステップＳ２１２へ進める。システム制御回路５０は、録音設定の変更指示を受け付けなかった場合には（ステップＳ２１１でＮｏ）、処理をステップＳ２１３へ進める。ステップＳ２１２において、システム制御回路５０は、録音設定を変更する。次に、ステップＳ２１３において、システム制御回路５０は、その他の変更を指示されたか否かを確認する。システム制御回路５０は、その他の変更指示を受け付けた場合には（ステップＳ２１３でＹｅｓ）、処理をステップＳ２１４へ進める。システム制御回路５０は、その他の変更指示を受け付けなかった場合には（ステップ２１３でＮｏ）、処理をステップＳ２００へ進める。ステップＳ２１４において、システム制御回路５０は、指示に係る設定を変更し、その後処理をステップＳ２００へ進める。
【００３１】
ステップＳ２１５において、システム制御回路５０は、シャッタースイッチＳＷ１（６０）が押下されたか否かを確認する。システム制御回路５０は、シャッタースイッチＳＷ１が押下された場合には（ステップＳ２１５でＹｅｓ）、処理をステップＳ２１６へ進める。システム制御回路５０は、シャッタースイッチＳＷ１が押下されなかった場合には（ステップＳ２１５でＮｏ）、処理をステップＳ２０３へ進める。ステップＳ２１６において、システム制御回路５０は、デジタルカメラ１００に設定されているフォーカスモードや露出モードに応じた合焦・露出処理を行う。
【００３２】
ステップＳ２１７において、システム制御回路５０は、シャッタースイッチＳＷ２（６１）が押下されたか否かを確認する。システム制御回路５０は、シャッタースイッチＳＷ２が押下された場合には（ステップＳ２１７でＹｅｓ）、処理をステップＳ２１８へ進める。システム制御回路５０は、シャッタースイッチＳＷ２が押下されなかった場合には（ステップＳ２１７でＮｏ）、処理をステップＳ２１５へ進める。ステップＳ２１８において、システム制御回路５０は、表示装置の画像表示を停止すると共に、映像・音声圧縮処理を停止させる。ここでは、システム制御回路５０は、メモリ２５に格納された映像データ及び音声データの破棄は行わず、これらを引き続きメモリ２５に保持しておく。
【００３３】
次に、ステップＳ２１９において、システム制御回路５０は、撮像素子１３を制御し、撮像素子１３の出力を基に記録用の静止画データを撮影する。次に、ステップＳ２２０において、システム制御回路５０は、記録用の静止画データから撮影後の画像確認用のレビュー画像を生成する。次に、ステップＳ２２１において、システム制御回路５０は、画像処理回路２０に含まれる静止画圧縮処理等を用いて記録用のＪＰＥＧデータを生成し、メモリ２５に格納する。システム制御回路５０は、その後、撮影後処理を行う。撮影後処理については、図３を参照しつつ後述する。
【００３４】
図３は、デジタルカメラ１００による撮影後処理（ステップＳ２２２）における詳細な処理を示すフローチャートである。ステップＳ３０１において、システム制御回路５０は、ステップＳ２２１でメモリ２５に格納されたＪＰＥＧデータを外部記録媒体９１に記録する。次に、ステップＳ３０２において、システム制御回路５０は、メモリ２５に格納した映像データが所定の記録時間ｔ０より長いか否かを判定する。システム制御回路５０は、長いと判定した場合は（ステップＳ３０２でＹｅｓ）、処理をステップＳ３０４へ進める。システム制御回路５０は、短いと判定した場合は（ステップＳ３０２でＮｏ）、処理をステップＳ３０３へ進める。ステップＳ３０３において、システム制御回路５０は、メモリ２５に格納していた静止画撮影前の映像データ及び音声データを破棄する。
【００３５】
ステップＳ３０４において、システム制御回路５０は、メモリ２５に格納されている映像・音声データの記録先を決定すべく、映像・音声データを追記できる動画ファイルが外部記録媒体９１に記録されているか否かを確認する。システム制御回路５０は、動画ファイルが記録されていない場合には（ステップＳ３０４でＮｏ）、処理をステップＳ３０５へ進める。そして、ステップＳ３０５において、システム制御回路５０は、静止画撮影前に撮影された映像・音声データを新規ファイルとして記録し、その後処理をステップＳ３０７へ進める。
【００３６】
一方、システム制御回路５０は、動画ファイルが記録されている場合には（ステップＳ３０４でＹｅｓ）、処理をステップＳ３０６へ進める。そして、ステップＳ３０６において、システム制御回路５０は、既存の動画ファイルに静止画撮影前に撮影された映像・音声データを追記記録し、その後処理をステップＳ３０７へ進める。このとき、追記される動画ファイルは、必ず映像データと音声データを対応付けた形式で記録される。また、追記される音声データは、録音設定メニューの設定に応じ、外部音声の録音データの場合もあれば無音データの場合もあるが、いずれの場合においても、動画ファイルには、映像データと音声データとを対応付けた形式で記録される。このため、映像データ及び音声データを、再生タイミングを同期して追記することができる。
【００３７】
ステップＳ３０７において、システム制御回路５０は、ステップＳ２２０で作成したレビュー用画像を、表示部２３に表示する。次に、ステップＳ３０８において、システム制御回路５０は、ステップＳ３０３で映像データ及び音声データを破棄したか否かを確認する。システム制御回路５０は、映像データ等を破棄した場合は（ステップＳ３０８でＹｅｓ）、処理をステップＳ３１７へ進め、映像・音声圧縮処理を終了し、撮影後処理を終了する。システム制御回路５０は、映像データ等を破棄していない場合には（ステップＳ３０８でＮｏ）、処理をステップＳ３０９へ進める。
【００３８】
ステップＳ３０９において、システム制御回路５０は、デジタルカメラ１００の設定メニューで静止画撮影前データとともに、ストップモーションを記録する設定が有効か否かを確認する。システム制御回路５０は、ストップモーション記録が無効の場合は（ステップＳ３０９でＮｏ）、処理をステップＳ３１７へ進める。システム制御回路５０は、ストップモーション記録が有効の場合は（ステップＳ３０９でＹｅｓ）、処理をステップＳ３１０へ進める。ステップＳ３１０において、システム制御回路５０は、ステップＳ２１９で撮影された静止画から動画記録用のストップモーション画像を生成する。ここで、システム制御回路５０は、静止画と動画のアスペクトが異なる場合は、静止画がすべて表示されるようにリサイズ処理を行い、静止画の表示領域以外は黒塗りする。例えば、システム制御回路５０は、静止画のアスペクトが４：３で動画のアスペクトが１６：９の場合、左右の領域を黒塗りしたストップモーション画像を生成する。
【００３９】
次に、ステップＳ３１１において、システム制御回路５０は、録音設定を確認する。システム制御回路５０は、「録音あり」に設定されている場合（ステップＳ３１１でＹｅｓ）、処理をステップＳ３１２へ進める。システム制御回路５０は、システム制御回路５０は、「録音なし」に設定されている場合（ステップＳ３１１でＮｏ）、処理をステップＳ３１３へ進める。ステップＳ３１２において、システム制御回路５０は、不揮発性メモリ５１に予め記憶されているシャッター音データを音声データとして埋め込むよう音声制御部７３に設定する。次に、ステップＳ３１３において、システム制御回路５０は、ステップＳ３１０で生成された画像と音声データとを、画像処理回路２０に含まれる映像・音声圧縮処理を用いて圧縮し、メモリ２５に格納する。
【００４０】
次に、ステップＳ３１４において、システム制御回路５０は、ステップＳ３１３にて圧縮した映像データが所定の記録時間ｔ２より長いか否かを判定する。システム制御回路５０は、長いと判定した場合には（ステップＳ３１４でＹｅｓ）、処理をステップＳ３１５へ進める。システム制御回路５０は、短いと判定した場合には（ステップＳ３１４でＮｏ）、処理をステップＳ３１３へ進める。ステップＳ３１５において、システム制御回路５０は、ステップＳ３１３で圧縮した映像データ、音声データを外部記録媒体９１に記録する。システム制御回路５０は、ステップＳ３０６，ステップＳ３０７で撮影前の映像データを記録している場合には、その映像データと同じファイルに追記して記録する。ステップＳ３１６において、システム制御回路５０は、映像データ、音声データの記録が完了するまで待つ。記録が完了すると、ステップＳ３１７において、システム制御回路５０は、映像・音声圧縮処理を終了し、撮影後処理を終了する。
【００４１】
以上のように、デジタルカメラ１００は、静止画・動画同時記録モードにおいては、録音設定に関わらず、常に映像データと音声データとを含む動画ファイルを作成する。なお、「録音あり」設定の場合の音声データは、録音された外部音声であり、「録音なし」設定の場合の音声データは、無音データである。静止画・動画同時記録モードにおける「録音なし」設定は、無音動画を記録する第１の動画記録モードの一例である。静止画・動画同時記録モードにおける「録音あり」設定は、動画と共に外部音声を記録する第３の動画記録モードの一例である。
【００４２】
さらに、上述のように、本実施形態に係る静止画・動画撮影同時記録モードでは、静止画とともに撮影された動画は、それ以前に同じモードで撮影された動画に追記記録されるという機能がある。すなわち、静止画・動画撮影同時記録モードは、撮影により得られた動画の編集を行う動画撮影モードである。デジタルカメラ１００は、このように他の動画と結合（編集）することが前提の動画撮影において、「録音なし」に設定されている場合であっても、音声データを含むファイル形式で記録する。したがって、動画結合を容易に行うことができる。
【００４３】
図４は、デジタルカメラ１００による、情報処理の一例としての第２の撮影処理を示すフローチャートである。第２の撮影処理は、デジタルカメラ１００に、撮影モードとして、動画撮影モードが設定された場合に実行される処理である。ユーザにより操作部６２に含まれるモード切り替えスイッチが切り替えられることにより、撮影モードが動画撮影モードに設定される。
【００４４】
ステップＳ４０１において、システム制御回路５０は、モード変更が行われたか確認する。ステップＳ４０１の処理は、ステップＳ２０７（図２）の処理と同様である。システム制御回路５０は、モード変更が行われた場合は（ステップＳ４０１でＹｅｓ）、第２の撮影処理を終了する。システム制御回路５０は、モード変更が行われていない場合は（ステップＳ４０１でＮｏ）、処理をステップＳ４０２へ進める。ステップＳ４０２〜ステップＳ４０６の処理は、それぞれ図２を参照しつつ説明したステップＳ２０９〜ステップＳ２１４の処理と同様である。
【００４５】
ステップＳ４０６の処理の後、ステップＳ４０７において、システム制御回路５０は、動画撮影ボタン７０が押下されたか否かを確認する。システム制御回路５０は、動画撮影ボタン７０が押下された場合には（ステップＳ４０７でＹｅｓ）、処理をステップＳ４０８へ進める。システム制御回路５０は、動画撮影ボタン７０が押下されていない場合には（ステップＳ４０７でＮｏ）、処理をステップＳ４０１へ進める。ステップＳ４０８において、システム制御回路５０は、動画撮影を開始し、露光制御４０によって制御された適正露出の撮像素子１３を制御し、撮像素子１３の出力を基に表示用動画像を生成する。次に、ステップＳ４０９において、システム制御回路５０は、ステップＳ４０８と同様に撮像素子１３を制御し、撮像素子１３の出力を基に動画記録用画像を生成する。次に、ステップＳ４１０において、システム制御回路５０は、ステップＳ４０８で作成した表示用動画像を表示部２３に表示する。次に、ステップＳ４１１において、システム制御回路５０は、記録用動画像を画像処理回路２０に含まれる映像圧縮処理を用いて、映像データへと圧縮し、メモリ２５に格納する。
【００４６】
次に、ステップＳ４１２において、システム制御回路５０は、録音設定を確認する。システム制御回路５０は、「録音あり」に設定されている場合には（ステップＳ４１２でＹｅｓ）、処理をステップＳ４１３へ進める。ステップＳ４１３において、システム制御回路５０は、音声制御部７３から入力された外部音声をシステム制御回路５０に含まれる音声圧縮処理を用いて、圧縮し、メモリ２５に格納する。システム制御回路５０は、「録音なし」に設定されている場合には（ステップＳ４１２でＮｏ）、音声データの作成は行わずに、処理をステップＳ４１４へ進める。ステップＳ４１４において、システム制御回路５０は、メモリ２５に格納されているデータを記録する。システム制御回路５０は、「録音あり」に設定されている場合には、映像データ及び音声データを１つの動画ファイルに記録する。システム制御回路５０はまた「録音なし」に設定されている場合には、映像データのみを１つの動画ファイルに記録する。動画撮影モードにおける「録音なし」の設定は、無音録画を記録する第２の動画記録モードの一例である。
【００４７】
次に、ステップＳ４１５において、システム制御回路５０は、動画撮影ボタン７０が押下されたか否かを確認する。システム制御回路５０は、動画撮影ボタン７０が押下された場合には（ステップＳ４１５でＹｅｓ）、処理をステップＳ４１７へ進める。システム制御回路５０は、動画撮影ボタン７０が押下されていない場合には（ステップＳ４１５でＮｏ）、処理をステップＳ４１７へ進める。ステップＳ４１６において、システム制御回路５０は、モード変更の有無を確認する。システム制御回路５０は、モードが変更された場合には（ステップＳ４１６でＹｅｓ）、処理をステップＳ４１７へ進める。システム制御回路５０は、モードが変更されていない場合には（ステップＳ４１６でＮｏ）、処理をステップＳ４０８へ進めることにより、動画撮影を継続する。
【００４８】
ステップＳ４１７において、システム制御回路５０は、動画撮影を停止し、映像圧縮処理を終了する。次に、ステップＳ４１８において、システム制御回路５０は、録音設定を確認する。システム制御回路５０は、「録音あり」に設定されている場合には（ステップＳ４１８でＹｅｓ）、処理をステップＳ４１９へ進める。システム制御回路５０は、「録音なし」に設定されている場合には（ステップＳ４１８でＮｏ）、処理をステップＳ４２０へ進める。ステップＳ４１９において、システム制御回路５０は、音声圧縮処理を終了する。次に、ステップＳ４２０において、システム制御回路５０は、メモリ２５に格納されているすべての映像データ、音声データを記録し、動画記録を完了し、処理をステップＳ４０１へ進める。
【００４９】
以上のように、デジタルカメラ１００は、動画撮影モードにおいては、録音設定に応じて、映像データと音声データとを含む動画ファイル又は映像データのみを含む動画ファイルというように、異なる形式の動画ファイルを記録する。このように、デジタルカメラ１００は、動画撮影後に動画の編集が行われない撮影モードに設定され、「録音なし」に設定されている場合には、音声に対応付けることなく、動画のみを記録する。このように、本実施形態に係る、デジタルカメラ１００は、動画に対応付けて音声データを記録するか否か、音声データとして無音データを記録するか外部音声を記録するかを動画の用途や撮影モードに応じて設定することができる。
【００５０】
従来技術においては、記録対象となる動画ファイルが、映像データのみを含むデータと、映像データと音声データとを含むデータとを同一の動画ファイルに記録していた。このため、映像データと音声データの同期を取るべく、映像データのみを含むデータにおいて、映像データと同じ時間分の圧縮された音声データを別途作成したうえで追記する等、映像データと音声データのずれを補正する処理が必要であった。これに対し、本実施形態のデジタルカメラ１００は、録音を行わない設定であっても、形式的に音声データを生成する。これにより、映像データと音声データの同期をとるための処理を不要とすることができる。すなわち、デジタルカメラ１００は、撮像装置のレスポンスの低下を招くことなく、動画データの結合処理を効率的に行うことができる。
【００５１】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００５２】
以上、上述した各実施形態によれば、撮像装置のレスポンスの低下を招くことなく、動画データの結合処理（連結の処理）を効率的に行うことができる。
【００５３】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００５４】
１１  撮影レンズ
１２  シャッター
１３  撮像素子
２５  メモリ
５０  システム制御回路
７１  マイク
９１  記録媒体
１００  デジタルカメラ
【図１】
2016063242.tif 000003
【図２】
2016063242.tif 000004
【図３】
2016063242.tif 000005
【図４】
2016063242.tif 000006
【図５】
2016063242.tif 000007
【図６】
2016063242.tif 000008